(57)【要約】      （修正有）【課題】任意のエレベータから自己を含む全てのエレベータに対してサービス切り離し階の設定あるいは解除を容易にできるエレベータ制御システムを得る。【解決手段】乗りかご１２ａ〜１２ｄおよび乗りかごを昇降する駆動装置を備えた複数のエレベータと、乗りかごの昇降および停止を、設定されたサービス停止階の情報にしたがって制御するエレベータ制御装置と、各エレベータ制御装置を制御し、乗りかごにホール呼びを割り当てる群管理装置１０を備えたエレベータ制御システムにおいて、乗りかごは、サービス切り離し階を設定し、また設定を解除できる設定切り替え信号１６を受け付ける操作パネルを備え、エレベータ制御装置は、設定切り替え信号を受信し、受信した設定切り替え信号を群管理装置１０に伝送する伝送手段、および群管理装置を介して伝送された設定切り替え信号を受信する受信手段を備え、受信した切り替え信号をもとに自己の停止階を設定する。【選択図】図１
2009062135.tif 000002
【特許請求の範囲】
【請求項１】
乗りかごおよび該乗りかごを昇降路に沿って昇降駆動する駆動装置をそれぞれ備えた複数のエレベータと、
前記各エレベータを構成する各乗りかごの昇降および停止を、設定されたサービス停止階の情報にしたがってそれぞれ制御する複数のエレベータ制御装置と、
前記各エレベータ制御装置を制御し、各乗りかごにホール呼びを割り当てる群管理装置を備えたエレベータ制御システムにおいて、
前記乗りかごは、乗りかごを通過させるサービス切り離し階を設定し、また前記設定を解除するすることのできる設定切り替え信号を受け付ける操作パネルを備え、
前記各エレベータ制御装置は、前記設定切り替え信号を受信し、受信した前記設定切り替え信号を前記群管理装置に伝送する伝送手段、および前記群管理装置を介して伝送された前記設定切り替え信号信号を受信する受信手段を備え、受信した前記切り替え信号をもとに自己のサービス停止階を設定することを特徴とするエレベータ制御システム。
【請求項２】
請求項１記載のエレベータ制御システムにおいて、
前記エレベータ制御装置は、前記昇降路の上部または下部に設けたことを特徴とするエレベータ制御システム。
【請求項３】
請求項１記載のエレベータ制御システムにおいて、
前記操作パネルは、暗号化された前記設定切り替え信号を受信してエレベータ制御装置に伝送する伝送手段を備えたことを特徴とするエレベータ制御システム。
【請求項４】
請求項１記載のエレベータ制御システムにおいて、
前記全ての乗りかごは、乗りかごを通過させるサービス切り離し階を設定し、また前記設定を解除するすることのできる設定切り替え信号を受け付ける操作パネルを備えたことを特徴とするエレベータ制御システム。
【発明の詳細な説明】
【技術分野】
【０００１】
本発明は、エレベータ制御システムに係り、特に、エレベータにサービス停止階を設定し、また、該設定を解除することのできるエレベータ制御システムに関する。
【背景技術】
【０００２】
集合住等宅あるいは商業ビル等においては、居住者あるいは訪問者等の安全を確保するため、エレベータの運行に、様々な制限を課す場合がある。例えば、エレベータにサービス切り離し階（エレベータを停止させることのできない階）を設定して、利用者の乗降を抑制する制御が行われることがある。
【０００３】
このような制御装置において、サービス切離し階の設定あるいは解除は、通常、エレベータ監視装置あるいはセキュリティ装置などの外部装置から設定あるいは解除信号を供給することにより行う。この場合、例えば、設定あるいは設定を解除する信号を群管理される複数のエレベータに対して一括して送信することにより行なわれる。
【０００４】
一方、前記エレベータ監視装置あるいはセキュリティ装置を備えないエレベータ制御装置においては、各エレベータ毎に設置されたエレベータ制御装置（例えば号機制御装置）、あるいは前記エレベータ制御装置を管理する制御装置（例えば群管理制御装置）により、サービス切離し階の設定あるいは設定の解除を行っている。
【０００５】
例えば、特許文献１には、エレベータホールに個人認証装置を設け、該個人認証装置からから呼んだ乗りかごのホールへの到着を検出したとき、読み出した個人認証情報に基づいてサービス切り離し階の設定を解除し、これにより目的階に移動できるようにしている。
【特許文献１】特開２００６-１６０４４７号
【発明の開示】
【発明が解決しようとする課題】
【０００６】
前述のように、従来、サービス切り離し階の設定および解除は、エレベータ監視装置あるいはセキュリティ装置からの一括信号によって行っている。このため、エレベータ監視装置あるいはセキュリティ装置を備えないエレベータ制御装置に対しては対応することができない。
【０００７】
また、エレベータ監視装置あるいはセキュリティ装置を備えないエレベータ制御装置においては、各エレベータ毎に設置されたエレベータ制御装置により、サービス切離し階の設定あるいは解除を個別に行わなければならない。
【０００８】
本発明はこのような問題点に鑑みてなされたもので、任意のエレベータから自己を含む全てのエレベータに対してサービス切り離し階の設定あるいは解除を容易に設定することのできるエレベータ制御システムを提供するものである。
【課題を解決するための手段】
【０００９】
本発明は上記課題を解決するため、次のような手段を採用した。
【００１０】
乗りかごおよび該乗りかごを昇降路に沿って昇降駆動する駆動装置をそれぞれ備えた複数のエレベータと、前記各エレベータを構成する各乗りかごの昇降および停止を、設定されたサービス停止階の情報にしたがってそれぞれ制御する複数のエレベータ制御装置と、前記各エレベータ制御装置を制御し、各乗りかごにホール呼びを割り当てる群管理装置を備えたエレベータ制御システムにおいて、前記乗りかごは、乗りかごを通過させるサービス切り離し階を設定し、また前記設定を解除するすることのできる設定切り替え信号を受け付ける操作パネルを備え、前記各エレベータ制御装置は、前記設定切り替え信号を受信し、受信した前記設定切り替え信号を前記群管理装置に伝送する伝送手段、および前記群管理装置を介して伝送された前記設定切り替え信号信号を受信する受信手段を備え、受信した前記切り替え信号をもとに自己のサービス停止階を設定する。
【発明の効果】
【００１１】
本発明は、以上の構成を備えるため、任意のエレベータから自己を含む全てのエレベータに対してサービス切り離し階の設定あるいは解除を容易に設定することができる。
【発明を実施するための最良の形態】
【００１２】
以下、最良の実施形態を添付図面を参照しながら説明する。図１は、本実施形態にかかるエレベータ制御システムを説明する図である。図において、１２ａ、１２ｂ、１２ｃ、１２ｄは、それぞれ各エレベータ（号機）を構成する乗りかごであり、建物内に設けた昇降路内を昇降する。１３ａ、１３ｂ、１３ｃ、１３ｄは各乗りかご内の操作パネルに配置した設定切り替え装置であり、エレベータの管理者は前記設定切り替え装置の何れか、例えば設定切り替え装置１３ａを操作してサービス切り離し階の設定あるいは設定を解除することができる。１１ａ、１１ｂ、１１ｃ、１１ｄはそれぞれエレベータ制御装置（号機制御装置）であり、対応する各乗りかご１２ａ、１２ｂ、１２ｃ、１２ｄを制御する。１４ａ、１４ｂ、１４ｃ、１４ｄは伝送路であり、各エレベータ制御装置１１ａ、１１ｂ、１１ｃ、１１ｄと、対応する乗りかご１２ａ、１２ｂ、１２ｃ、１２ｄを接続する。
【００１３】
図１においては、このように、エレベータ制御装置１１ａ、乗りかご１２ａ、設定切り替え装置１３ａ、伝送路１４ａにより号機（ａ号機）が構成され、同様に、エレベータ制御装置１１ｂ、乗りかご１２ｂ、設定切り替え装置１３ｂ、伝送路１４ｂによりｂ号機が構成され、同様にｃ号機、ｄ号機が構成される。
【００１４】
１０は、群管理装置であり、前記エレベータ制御装置（号機制御装置）１１ａ、１１ｂ、１１ｃ、１１ｄを一つの群として管理し、例えば各乗りかごにホール呼びを割り当てる。
【００１５】
上述のように、本実施形態では、設定切り替え装置１３ａ、１３ｂ、１３ｃ、１３ｄは全ての乗りかご内の操作パネルに配置している。このため、前記管理者は、ホール呼び釦を操作して、この呼びに応答した乗りかごに搭乗して、前記設定切り替え装置１３ａ、１３ｂ、１３ｃ、１３ｄ、の何れかを操作するのみで、サービス切り離し階の設定あるいは設定を解除することができる。
【００１６】
図２は、サービス切り離し階の設定および解除を説明する図である。
【００１７】
エレベータのサービス階（エレベータを停止させることのできる階）をサービス切離し階（エレベータを停止させることのできない階）に変更する場合、あるいはエレベータのサービス切り離し階をサービス階に変更する場合、まず、例えば、乗りかご１２ａ内にある設定切り替え装置１３ａを操作して、サービス切離し階の設定あるいは設定解除操作を行う（ステップＳ１）。設定あるいは設定解除したサービス切離し階の情報を表す設定切り替え信号１５ａは、前記乗りかご１２ａを制御しているエレベータ制御装置１１ａに伝送され（ステップＳ２）、エレベータ制御装置１１ａは受信した前記信号１５ａを群管理装置１０に伝送する（ステップＳ３）。
【００１８】
群管理装置１０は、設定あるいは設定解除したサービス切離し階の情報（設定切り替え信号１５ａ）を保持し、保持した信号１５ａを各エレベータ制御装置（１１ａ〜１１ｄ）に設定切り替え信号１６として同時に伝送する（ステップＳ４）。
【００１９】
設定切り替え信号１６を受信した各エレベータ制御装置（１１ａ〜１１ｄ）は、受信した情報にしたがってサービス階をサービス切離し階に変更し、あるいはサービス切り離し階をサービス階に変更する（ステップＳ５）。
【００２０】
この例では、群管理装置１０は、前記保持した信号（設定あるいは設定解除したサービス切離し階の情報を表す信号）を各エレベータ制御装置に設定切り替え信号１６として同時に伝送する。このため、ある１つの乗りかご（例えば１２ａ）内にある設定切り替え装置を操作することにより、群管理制御装置１０と通信を行っている全てエレベータ制御装置に、設定あるいは設定解除したサービス切離し階の情報を同時に反映することができる。
【００２１】
なお、乗りかご１２ａ内にある設定切り替え装置１３ａは、新たな装置としてエレベータのかご内に設置することができる。また、新たな装置を設置せず、階床釦あるいは開閉釦、各種設定（例えば換気扇運転設定）用のディップスイッチなど既にかご内に設置されてある釦を操作して、サービス階の設定あるいは設定解除することができる。この際、暗号操作を要求する設定とすることにより、部外者によるサービス階の設定あるいは設定解除の操作を制限することができる。この場合、例えば管理者に前記設定切り替え信号を暗号化し、この暗号化した情報をもとに操作パネルを操作するように指示するとともに、この操作信号を伝送路１４を介してエレベータ制御装置に伝送してもよい。
【００２２】
また、以上の説明では、エレベータ制御装置１１ａ、１１ｂ、１１ｃ、１１ｄを昇降路の上部に配置することを前提に説明したが、前記エレベータ制御装置は昇降路の下部に配置することができる。
【００２３】
以上説明したように、本実施形態によれば、乗りかご１２内に設置されたサービス切離し階の設定または解除を行う設定切り替え装置１３を用いてサービス切離し階の設定または解除を行う。サービス切離し階の設定または解除の信号１５は昇降路の上部または下部の少なくとも一方に設置されたエレベータ制御装置１１を介して群管理制御装置１０に伝送する。前記群管理装置は、受信したサービス切離し階の設定または解除の信号１５を伝送し、群管理制御装置で信号を保持する。また、前記群管理装置１０は保持したサービス切離し階の設定または解除の信号を各エレベータ制御装置に信号１６として同時に伝送することができる。これにより、全てのエレベータ制御装置（全ての乗りかご）からサービス切離し階の設定または解除を行うことができる。また、エレベータ監視装置あるいはセキュリティ装置などの外部装置を必要とすることなく、エレベータの運行に必要な制御装置のみでサービス切離し階の設定または解除を行うことができる。
【図面の簡単な説明】
【００２４】
【図１】本実施形態にかかるエレベータ制御システムを説明する図である。
【図２】サービス切り離し階の設定および解除を説明する図である。
【符号の説明】
【００２５】
１０  群管理装置
１１ａ〜１１ｄ  エレベータ制御装置（号機制御装置）
１２ａ〜１２ｄ  乗りかご
１３ａ〜１３ｄ  設定切り替え装置
１４ａ〜１４ｄ  伝送路
１５ａ〜１５ｄ  設定切り替え信号（エレベータ制御装置から群管理装置）
１６  設定切り替え信号（群管理装置からエレベータ制御装置）
【図１】
2009062135.tif 000003
【図２】
2009062135.tif 000004